(57)【要約】      （修正有）【課題】一般のコンテナはコンテナとして使用されない場合他の用途に流用されることが多いが、その内部空間が限られていることから、用途の形態に応じて空間を任意に増大できるコンテナ構造を提供する。【解決手段】コンテナ本体１０と二つの可動支持枠２０が備えられ、上記コンテナ本体１０は、それぞれ、両外側と二つの可動支持枠２０によって、組み立てられることができる。上記二つの可動支持枠２０が、それぞれ、コンテナ本体１０の両側から伸び出すことができ、上記コンテナ本体１０は、二つの可動支持枠２０の展開により、収納空間が増大され、より多い貨物を運送でき、運送回数を低減でき、運送コストを低下させることができ、より良い経済効率が実現する。【選択図】図２
2014091578.tif 000002
【特許請求の範囲】
【請求項１】
コンテナ本体と二つの可動支持体とからなるコンテナ構造であって、
コンテナ本体が、前側及び後側において、縦横方向の支持柱体によって二つの対応する外枠が形成され、上記の二つの外枠の横方向支持柱体が、中空状で端部に開放した嵌接口が形成され、上記嵌接口に、それぞれ防護スリーブが貫設され、防護スリーブにおいて、縦方向に第一貫設口と第二貫設口が配列され、二つの外枠の間において、四隅にそれぞれ連結支柱が連結され、同一端面に設けてある二つの連接支柱の間において、二つの外枠の間に、平行的に支持柱が設置され、上記の連結支柱の外側に、一対となる貫通口が貫設され、順に、中空である連接柱と連結柱を、連結支柱の貫通口から支持柱に貫設して、連接柱と連結柱が、二つの連結支柱の間に連結され、嵌合スリーブが各連接柱と連結柱との両側において、貫通口に対応した開口に嵌設され、
二つの可動支持体が、それぞれコンテナ本体の左右両側に組立てられ、コンテナ本体の側辺形状に対応して、矩形の対向した枠辺を有し、それぞれ対向した枠辺の一側の両隅において、横方向の支持柱内部の防護スリーブの第一貫設口に対応して、嵌接棒が設けられ、もう一側の両隅において、横方向の支持柱内部の防護スリーブの第二貫設口に対応して、貫設棒が設けられ、嵌接棒と貫設棒との間に、順に組立て棒が配列され、その一つの可動支持枠の組立て棒が、コンテナ本体の連接柱に対応し、もう一つの可動支持枠の組立て棒が、コンテナ本体の連結柱に対応し、それぞれコンテナ本体の左右両側から貫設されて組み立てられる
ことを特徴とするコンテナ構造。
【請求項２】
上記コンテナ本体の二つの外枠の横方向の支持柱体の間において、中央に縦方向強化柱が連接されることを特徴とする請求項１に記載のコンテナ構造。
【請求項３】
上記コンテナ本体の同一な端面に設けてある連結支柱の間に、更に若干の強化連結棒が設けられ、上記の強化連結棒と連結棒とが、平行になることを特徴とする請求項１に記載のコンテナ構造。
【請求項４】
上記可動支持枠の二つの対向した枠辺において、順に縦方向の強化リブ棒が設けられ、上記の強化リブ棒が、組立て棒に垂直に配置されることを特徴とする請求項１に記載のコンテナ構造。
【発明の詳細な説明】
【技術分野】
【０００１】
本発明は、コンテナ構造に関するものであり、さらに詳しくは拡張して使用できるコンテナ構造に関するものである。
【背景技術】
【０００２】
一般の、従来のコンテナは、単一コンテナ主体の構造であり、裏側に、貨物を搬出入するための出入口として、開閉可能な扉が設置されたものである。従来のコンテナ構造は、その内部の収納空間が限られており、拡張できないため、運送量を増加させることができず、品物の運送コストが上昇するという問題がある。また、一般のコンテナは、単純にコンテナとして使用される確率が低いため、コンテナとして使用されない場合、他の用途に流用されることが多いが、他の用途に使用される際に、その内部空間が限られていることが問題になり、用途の形態に応じて、空間を任意に増大できないという欠点がある。
【０００３】
特開２００１−１０６２８９号公報（以下、「特許文献１」という。）には、複数のパネルを組み合わせて、前、後端部の周囲にフレーム枠を配設して箱体形状に組み立てるプレハブ方式のコンテナにより、コンテナの開口面積を拡大し、かつ、内部の容積の拡大を図ることが記載されている。
【０００４】
しかし、特許文献１に記載のコンテナの容量の拡大はわずかであり、大幅な使用可能な空間を設ける構造は開示されていない。
【特許文献１】特開２００１−１０６２８９号公報
【発明の概要】
【発明が解決しようとする課題】
【０００５】
本発明の主な課題は、強化柱体が形成されて、コンテナ本体の耐荷重性が改善され、構造強度が強化され、より良い使用状態が実現されるコンテナ構造を提供することにある。
【０００６】
また、本発明の他の課題は、収納空間が増加し、より多い品物を運送でき、運送回数が低減し、運送コストが節約され、経済利益が得られるコンテナ構造を提供することにある。
【０００７】
本発明の更に他の課題は、上記コンテナ本体が、その使用可能の空間が大幅に増加し、コンテナとして使用しない時、他の用途に適用でき、使用効率が向上し、より実用的なものになるコンテナ構造を提供することにある。
【課題を解決するための手段】
【０００８】
そこで、本発明者は、上記の発明の課題を解決するために、鋭意検討を重ねた結果、各課題に対し、それぞれ下記の手段により解決できることに着目し、かかる知見に基いて本発明に想到するに至った。
すなわち、上記の主な課題に対しては、上記コンテナ本体を一般のコンテナとして使用する時、二つの可動支持枠をコンテナ本体の嵌接棒と貫設棒及び組立て棒に貫設することにより、解決できる点に着目した。
【０００９】
上記の他の課題に対しては、二つの可動支持枠が、それぞれ、コンテナ本体の両側から伸びだすように構成し、上記コンテナ本体が、二つの可動支持枠の伸びにより、収納空間を増加させることができる点に着目した。
【００１０】
上記の更に他の課題に対しては、上記コンテナ本体を、二つの可動支持枠によって拡張することにより達成できる点に着目した。
【００１１】
かくして、請求項１に係る発明によれば、
コンテナ本体と二つの可動支持体とからなるコンテナ構造であって、
コンテナ本体が、前側及び後側において、縦横方向の支持柱体によって二つの対応する外枠が形成され、上記の二つの外枠の横方向支持柱体が、中空状で端部に開放した嵌接口が形成され、上記嵌接口に、それぞれ防護スリーブが貫設され、防護スリーブにおいて、縦方向に第一貫設口と第二貫設口が配列され、二つの外枠の間において、四隅にそれぞれ連結支柱が連結され、同一端面にある二つの連接支柱の間において、二つの外枠の間に、平行的に支持柱が設置され、上記の連結支柱の外側に、若干の一対となる貫通口が貫設され、順に、中空である連接柱と連結柱を、連結支柱の貫通口から支持柱に貫設して、連接柱と連結柱が、二つの連結支柱の間に連結され、嵌合スリーブが各連接柱と連結柱との両側において、貫通口に対応した開口に嵌設され、
二つの可動支持体が、それぞれコンテナ本体の左右両側に組立てられ、コンテナ本体の側辺形状に対応して、矩形の対向した枠辺を有し、また、それぞれ、対向した枠辺の一側の両隅において、横方向の支持柱内部の防護スリーブの第一貫設口に対応して、嵌接棒が設けられ、もう一側の両隅において、横方向の支持柱内部の防護スリーブの第二貫設口に対応して、貫設棒が設けられ、嵌接棒と貫設棒との間に、順に組立て棒が配列され、その一つの可動支持枠の組立て棒が、コンテナ本体の連接柱に対応し、もう一つの可動支持枠の組立て棒が、コンテナ本体の連結柱に対応し、それぞれ、コンテナ本体の左右両側から貫設されて組み立てられる
ことを特徴とするコンテナ構造が提供される。
【００１２】
請求項２に係る発明によれば、上記コンテナ本体の二つの外枠の横方向の支持柱体の間において、中央に縦方向強化柱が連接されることを特徴とする請求項１に記載のコンテナ構造が提供される。
【００１３】
請求項３に係る発明によれば、上記コンテナ本体の同一な端面にある連結支柱の間に、更に若干の強化連結棒が設けられ、上記の強化連結棒と連結棒とが、平行になることを特徴とする請求項１に記載のコンテナ構造が提供される。
【００１４】
請求項４に係る発明によれば、上記可動支持枠の二つの対向した枠辺において、順に縦方向の強化リブ棒が設けられ、上記らの強化リブ棒が、組立て棒に垂直に配置されることを特徴とする請求項１に記載のコンテナ構造が提供される。
【００１５】
本発明のコンテナ構造は、コンテナ本体と二つの可動支持枠が備えられ、コンテナ本体の前、後側において、若干の縦横方向の支持柱体によって二つの対応する外枠が形成され、上記の二つの外枠の横方向支持柱体が、中空状で、端部に、開放した嵌接口が形成され、嵌接口に、それぞれ、防護スリーブが貫設され、防護スリーブにおいて、縦方向に、第一貫設口と第二貫設口が配列され、二つの外枠の間において、四隅に、それぞれ、連結支柱が連結される。また、同一端面にある二つの連接支柱の間において、二つの外枠の間に、平行的に、支持柱が設置され、上記連結支柱の外側に、若干の一対となる貫通口が貫設され、順に、若干の中空である連接柱と連結柱を、連結支柱の貫通口から支持柱に貫設して、若干の連接柱と連結柱が、二つの連結支柱の間に連結される。また、若干の嵌合スリーブが、各連接柱と連結柱との両側において、貫通口に対応した開口に嵌設される。二つの可動支持枠は、それぞれ、コンテナ本体の左右両側に組み立てられ、コンテナ本体の側辺形状に対応して、矩形の対向した枠辺を有する。また、それぞれ、対向した枠辺の一側の両隅において、横方向の支持柱内部の防護スリーブの第一貫設口に対応して、嵌接棒が設けられ、もう一側の両隅において、横方向の支持柱内部の防護スリーブの第二貫設口に対応して、貫設棒が設けられ、嵌接棒と貫設棒との間に、順に、若干の組立て棒が配列され、その一つの可動支持枠の組立て棒が、コンテナ本体の連接柱に対応し、もう一つの可動支持枠の組立て棒が、コンテナ本体の連結柱に対応する。そのため、二つの可動支持枠が、それぞれ、コンテナ本体の左右両側から貫設されて組み立てられ、上記の構造により、新規なコンテナ構造が構成される。
【発明の効果】
【００１６】
本発明は、上記の通りの構成からなり、上記の強化柱体が形成されるので、コンテナ本体の耐荷重性が向上し、構造強度が強化される。また、可動支持枠により、収納空間を増加することができ、袋物の量及び種類に応じて多用途に適用することができる。
【発明を実施するための最良の形態】
【００１７】
以下、図面を参照しながら、本発明の特徴や技術内容について、詳しく説明するが、それらの図面等は、参考や説明のためであり、本発明は、それらによって限定されるものではない。
【００１８】
図１乃至図3のように、コンテナ構造は、コンテナ本体10と二つの可動支持枠20が備えられてある。上記コンテナ本体10は、前後側に、若干の、縦横方向の支持柱体111、112によって二つの対応する外枠11が形成され、上記二つの外枠11と横方向支持柱111体の間において、中央に、更に、縦方向の強化柱113が連接される。上記二つの外枠11と横方向支持柱体111が、中空状で、端部に、開放した嵌接口1110が形成され、上記嵌接口1110に、それぞれ、防護スリーブ12が嵌設けられ、防護スリーブ12において、縦方向の第一貫設口121と第二貫設口122が配列される。二つの外枠11の間において、四隅に、連結支柱13が連結され、また、同一端面にある二つの連接支柱13の間において、二つの外枠11の間に、平行的に、支持柱14が設置され、上記の連結支柱13の外側に、若干の一対となる貫通口131が貫設され、順に、若干の中空である連接柱15と連結柱16を、連結支柱13の貫通口131から支持柱14に貫設して、若干の連接柱15と連結柱16が、二つの連結支柱13の間に連結される。また、若干の嵌合スリーブ17が、各連接柱15と連結柱16との両側において、貫通口131に対応した開口に貫設される。また、同一端面の連結支柱の間に、更に、若干の強化連結棒18が、貫設され、上記の強化連結棒18と連結柱15や連結柱16とが、平行になるように設置される。これにより、二つの可動支持枠20が、それぞれ、コンテナ本体10の左右両側に組み立てられ、また、コンテナ本体10の側辺形状に合わせて、矩形の対向した枠辺21を有し、また、二つの可動支持枠20のそれぞれ対向した枠辺21の一側の両隅にある横方向支持柱111の内部防護スリーブ12に対応する第一貫設口121に、嵌接棒22が設けられる。もう一側の両隅にある横方向支持柱111の内部防護スリーブ12に対応する第二貫設口122に、貫設棒23が設けられ、二つの可動支持枠20は、それぞれ、嵌接棒22と貫設棒23との間に、順に、若干の組立て棒24が配列される。
【００１９】
その一つの可動支持枠20の組立て棒24が、コンテナ本体10の連接柱15に対応し、もう一つの可動支持枠20の組立て棒24が、コンテナ本体10の連結柱16に対応する。そのため、二つの可動支持枠20は、それぞれ、コンテナ本体10の左右両側から貫設されて組み立てられ、また、二つの可動支持枠20の対向した枠辺21には、順に、縦方向の強化リブ棒25が設けられ、上記の強化リブ棒25は、ともに、組立て棒24に垂直するように設置される。
【００２０】
その構造は、図2乃至図4のように、上記コンテナ本体10は、左右両側に、それぞれ、可動支持枠20が組み立てられる。二つの可動支持枠20が、コンテナ本体10の左、右側に位置した時、その二つの可動支持枠20が、それぞれ、対向した枠辺21から延びた嵌接棒22や貫設棒23と、左右に反対し、組立て棒24が、交差状になり、二つの可動支持枠20が、嵌接棒22と貫設棒23で、それぞれ、コンテナ本体10の両側にある嵌接口1110から、横方向支持柱111内に組み立てられた時、その可動支持枠20の同一側にある嵌接棒22が、防護スリーブ12の第一貫設口内に貫設される。同一側のもう一つの貫設棒23が、防護スリーブ12の第二貫設口122内に貫設され、各横方向支持柱内に、それぞれ、二つの可動支持枠20の嵌接棒22と貫設棒23とが組み立てられて、防護スリーブ12によって、隔離されて、互いに重ね合うようになる。また、その一側にある可動支持枠20の組立て棒24が、連接柱15内に組み立てられ、もう一側にある可動支持枠20の組立て棒24が、連結柱16内に組み立てられる。二つの可動支持枠20の組立て棒24が、コンテナ本体10の連結支柱13の間において、互いに隣り合って交差するようになる。また、連接柱15と連結柱16の端部にある開口に、嵌合スリーブ17が設けられる。これにより、組立て棒24が組み立てられる時、直接に、連接柱15や連結柱16の内壁に摩擦して、き損することを防止できる。上記の構造により、コンテナ本体10と二つの可動支持枠20とが組み立てられる。
【００２１】
本発明によれば、図5のように、コンテナ本体10は、一般のコンテナとして使用される時、上記二つの可動支持枠20が、コンテナ本体10の両側から展開されず、上記可動支持枠20の嵌接柱22と貫設柱23及び組立て棒24が、それぞれ、コンテナ本体10の横方向支持柱111と連接柱15及び連結柱16に組み立てられる時、コンテナ本体10は、強化構造が形成される。これにより、コンテナ本体10の構造強度が強化されてより良い負荷状態になり、構造使用実用性が向上される。
【００２２】
そのコンテナ構造の他のより良い使用状態によれば、図6乃至図8のように、上記二つの可動支持枠20は、それぞれ、嵌接棒22と貫設棒23及び組立て棒24が、対応したコンテナ本体10の横方向支持柱111と連接柱15及び連結柱16内に組み立てられる。二つの可動支持枠20の嵌接棒22と貫設棒23及び組立て棒24は、それぞれ、横方向支持柱111と連接柱15及び連結柱16をレールとして変位することができる。これにより、二つの可動支持枠20が、コンテナ本体10の両側から伸びて展開できる。そのため、コンテナ本体10は、可動支持枠20の伸びにより、収納空間が増加することを実現できるだけでなく、コンテナとして使用されない時、空間の増大により、組立て式の家屋や一時ブロックハウスとして使用することができ、構造使用実用性が向上する。
【００２３】
上記具体的な実施例の構造によれば、次の利点が得られる。
1.本発明に係るコンテナ本体10は、一般のコンテナとして使用される時、二つの可動支持枠20を、コンテナ本体10の嵌接棒22と貫設棒23及び組立て棒24に貫設して強化柱体が形成され、コンテナ本体10の耐荷重性が向上し、構造強度が強化されるため、より良い使用状態が実現される。
【００２４】
2.上記二つの可動支持枠20が、それぞれ、コンテナ本体10の両側から伸出可能であり、上記コンテナ本体10は、二つの可動支持枠20の展開により、収納空間が増大され、より多くの品物を収納することができ、運送回数が低減して運送コストを低下することができ、経済効率が向上する。
【００２５】
3.上記コンテナ本体10は、二つの可動支持枠20の展開により、使用空間が大幅に増大し、コンテナとして使用されない時、他の用途に適用でき、使用効率が向上し、より実用的なものになる。
【００２６】
以上は、本発明のより良い実施例であり、本発明は、それらによって限定されるものではなく、本発明に係わる特許請求の範囲や明細書の内容に基づいて行った等価の変更や修正は、全てが、本発明の範囲内に含まれる。
【図面の簡単な説明】
【００２７】
【図１】本発明の一実施形態によるコンテナの斜視図である。
【図２】本発明の一実施形態によるコンテナの分解斜視図である。
【図３】本発明の図2の部分拡大図である。
【図４】本発明の一実施形態によるコンテナの組立て断面図である。
【図５】本発明の一実施形態によるコンテナの使用状態図である。
【図６】本発明の一実施形態によるコンテナの展開の使用状態図である。
【図７】本発明の図6の一部拡大図である。
【図８】本発明の一実施形態によるコンテナの展開の使用断面図である。
【符号の説明】
【００２８】
10  コンテナ本体
11  外枠
111  縦方向支持柱体
1110  嵌接口
112  横方向支持柱体
113  縦方向強化柱
12  防護スリーブ
121  第一貫設口
122  第二貫設口
13  連結支柱
131  貫通口
14  支持柱
15  連接柱
16  連結柱
17  嵌合スリーブ
18  強化連結棒
20  可動支持枠
21  対向した枠辺
22  嵌接棒
23  貫設棒
24  組立て棒
25  強化リブ棒
【図１】
2014091578.tif 000003
【図２】
2014091578.tif 000004
【図３】
2014091578.tif 000005
【図４】
2014091578.tif 000006
【図５】
2014091578.tif 000007
【図６】
2014091578.tif 000008
【図７】
2014091578.tif 000009
【図８】
2014091578.tif 000010